(57)【要約】【課題】使用できるスペースに制限のある作業場所において、ヒューマンエラーを防止しつつ、適正な廃水処理を行うために使用可能な塗料付着物の洗浄装置を提供する。【解決手段】水性塗料が付着している器具、道具類を洗浄した洗浄廃水を貯留でき、洗浄廃水に対する中和と凝集を含む処理を行うために装置本体１１の上部に設置される開閉可能な排水口１９を有する貯留槽１４と、上記洗浄廃水を受け入れて凝集処理物を捕集して水分を流出させる目開きを有する捕集袋２０と、上記捕集袋を載置して排出される洗浄廃水を溜めるとともに排出し得る容器構造を有し、また、捕集袋を外部へ移動させる移動手段２３を備えた可動式受けタンク２１と、上記可動式受けタンクを貯留槽の下位に配置するために、装置本体の下部に設けた捕集袋配置用空所２２と、を具備して構成する。【選択図】          図３
0003169056.tif 000002
【実用新案登録請求の範囲】
【請求項１】
塗装工事に使用して塗料が付着した器具、道具類を洗浄するために、工事現場又はその近傍に設置される洗浄装置であって、
水性塗料が付着している器具、道具類を水で洗浄した洗浄廃水を貯留可能であり、かつ、洗浄廃水に対する中和と凝集を含む処理を行うために装置本体の上部に設置され、洗浄廃水を溜め又は排出する開閉部を備えた排水口を有する貯留槽と、
上記貯留槽から排出される洗浄廃水を受け入れて上記凝集処理物を捕集し、また、水分を流出させる目開きを有する素材によって形成された捕集袋と、
上記捕集袋を載置して排出される洗浄廃水を溜めるとともに排出し得る容器構造を有し、かつまた、捕集袋を外部へ移動させる移動手段を備えた可動式受けタンクと、
上記可動式受けタンクを、捕集袋を載置して貯留槽の下位に配置するために、装置本体の下部に設けた捕集袋配置用空所と
を具備して構成された塗料付着物の洗浄装置。
【請求項２】
可動式受けタンクは、床面に配置したフィルター板を有しており、上記フィルター板は、捕集袋に受け入れた洗浄廃水の水分による水没を防止するために、捕集袋の荷重を受け止めて平坦な形態を保持する強度と、上記水分を流出させるスノコ構造とを有している
請求項１記載の塗料付着物の洗浄装置。
【請求項３】
装置本体の高さを高低変化させ、或いは排水勾配を確保するなどのために、脚部高さ調節機構を設けた構成を有している
請求項１記載の塗料付着物の洗浄装置。
【考案の詳細な説明】
【技術分野】
【０００１】
本考案は、塗装工事に使用して塗料が付着した器具、道具類を洗浄するために、工事現場又はその近傍に設置される塗料付着物の洗浄装置に関するものである。
【背景技術】
【０００２】
建築物や建造物等の塗装工事や改修工事においては、現場使用機材の器具、道具類に付着している塗料の洗浄によって生じた排水や廃水の対策が重要である。安全な処理が問題になる。ここで安全な処理とは、環境基本法に定められている水質汚濁関係、土壌汚染関係の規定を満たすべきことはもちろんのこと、水質汚濁防止法、廃棄物処理法、湖沼法、土壌汚染対策法、下水道・浄化槽法さらには地方自治体によって定められている様々な条例などを満たす処理を意味する。
【０００３】
現在塗装工事に使用される塗料は水性塗料（水系塗料）が主体であり、その洗浄によって生じる廃水は、水溶性合成樹脂調合ペイント、合成樹脂エマルションペイント、薄付け仕上げ材、複層仕上げ材、床用塗材、水性錆止め塗料、シーラー類、下地調整塗材等を処理して発生する。例えば、水性塗料、水性モルタル系材料を使用した工事では、刷毛やローラーなどの塗装に使用した器具、道具類の洗浄廃水は、産業排気物処理に回すか又は水槽等を用いて分離凝集処理した上で廃棄していた。しかし、ヒューマンエラーにより無処理の洗浄廃水が汚水として流される問題があった。また、洗浄廃水が雨水桝へ流出して近隣河川等に広がり汚染した場合には、産業廃棄物処理法違反、水質汚濁防止法違反に該当する恐れもあった。このような事態を避けるには、大掛かりな沈殿槽を設置したり、既存の製品を組み合わせたりした上、さらに、作業に従事する者の教育指導により処理の徹底を図る必要があった。
【０００４】
これに対して、先行技術には、例えば、特開２００５−２１１８２２号に見られる廃液処理システムなどがある。上記の発明は、水性塗料を含む汚濁廃液を清水処理するシステムと称し、トラックやワゴン等に搭載して搬送される車載搬送型として示されているが、攪拌用のモーターやポンプなどの動力装置を装備する大掛かりなもので、電源ないしは燃料等を必要とする。従って、工事現場に搬入し、作業に従事する者の必要とするその都度洗浄するというように、比較的小規模な用途には不向きである。また、都心部のマンションのように使用できる敷地に制限のある作業場所では、上記のような車両を駐車するスペースすら求めることが困難であるという事情もある。故に、ヒューマンエラーを防ぐとともに、狭隘なスペースでも適正な廃水処理を実現するために、洗浄専用の仮設システムを確立する必要があると考えられる。
【０００５】
【特許文献１】特開２００５−２１１８２２号
【考案の開示】
【考案が解決しようとする課題】
【０００６】
本考案は前記の点に着目してなされたもので、その課題は、ヒューマンエラーを防止するとともに、例えば、都心部のマンションの改修工事などのように使用できるスペースに制限のある作業場所においても、適正な廃水処理を行うために使用可能な塗料付着物の洗浄装置を提供することである。また、本考案の他の課題は、下水排水基準を満たした排水が得られ、コンプライアンスを遵守した産業廃棄物処理を実施でき、環境意識を高め、環境に配慮した施工を実施できるようにすることである。また、本考案の他の課題は、濾過機器の改良により、狭隘なスペースによる制約に拘らず、洗浄廃水の浄化という所期の目的を達成することである。
【課題を解決するための手段】
【０００７】
前記の課題を解決するため、本考案は、塗装工事に使用して塗料が付着した器具、道具類を洗浄するために、工事現場又はその近傍に設置される洗浄装置について、水性塗料が付着している器具、道具類を水で洗浄した洗浄廃水を貯留可能であり、かつ、洗浄廃水に対する中和と凝集を含む処理を行うために装置本体の上部に設置され、洗浄廃水を溜め又は排出する開閉部を備えた排水口を有する貯留槽と、上記貯留槽から排出される洗浄廃水を受け入れて上記凝集処理物を捕集し、また、水分を流出させる目開きを有する素材によって形成された捕集袋と、上記捕集袋を載置して排出される洗浄廃水を溜められる容器構造を有し、かつまた、捕集袋を外部へ移動させる移動手段を備えた可動式受けタンクと、
上記可動式受けタンクを、捕集袋を載置して貯留槽の下位に配置するために、装置本体の下部に設けた捕集袋配置用空所と、を具備して構成するという手段を講じたものである。
【０００８】
本考案の装置は、塗装工事に使用した水性塗料又はその他の汚れが付着している器具、道具類を洗浄する際に使用するものであり、洗浄対象の器具、道具類としては塗装用の刷毛、ローラー、ヘラ或いは少量の塗料を入れたパンや桶類が挙げられる。また、本考案の装置は塗装工事の現場又はその近傍に装置本体を設置して、塗装に用いた水性塗料又はその他の汚れが付着している上記の器具類を洗浄することを目的とするものである。装置本体を設置するために必要な広さとしては、最小限度で０．５〜１．０平方メートル程度を目安とする。また、必要に応じて少人数の作業者で持ち上げて移動できる程度の重量であることも望まれる。
【０００９】
水性塗料又はその他の汚れが付着している器具類は、まず、流水で洗い流したり或いは器具類を洗浄容器中で洗浄したりして洗浄するが、どちらの場合にも洗浄の結果生じた洗浄廃水は、一旦貯留槽に貯留し、貯留した洗浄廃水に対して中和と凝集を含む必要な処理が行われる。一般的にアルカリ性である洗浄廃水は中和することが無害化のために必要であり、凝集は洗浄廃水中の成分を分離するために必要となる。  貯留槽に洗浄廃水を貯留するために、洗浄廃水を溜めるときは排水口を閉じ、洗浄廃水を排出するときには排水口を開く開閉部を設ける。なお、貯留槽では、上記中和と凝集処理のために攪拌を行う。
【００１０】
本考案の装置は、上記貯留槽から排出される洗浄廃水を受け入れて上記凝集処理物を捕集し、また、水分を流出させるために、適切な目開きを有する素材によって形成された捕集袋を具備する。捕集袋は、凝集処理物の捕集と水分の流出が目的であり、この目的に応じた目開き即ちメッシュを有する素材から成る袋状のものとする。この目的の袋状物としては、土嚢として使用するものが適しており、従来は麻袋が主流であったが、現在はポリエチレン等の合成繊維から成る布製品が主流である。何れのものも繊維を編んで製造されるので、凝集処理物を適切に捕集し、かつ、水分を流出させるサイズの編み目のものを選択するものとする。
【００１１】
本考案の装置では、上記捕集袋を載置して排出される洗浄廃水を溜めるとともに、排出し得る容器構造を有し、かつまた、捕集袋を外部へ移動させる移動手段を備えた可動式受けタンクを組み合わせて使用する。上記捕集袋は、可動式受けタンクに載置することによって、凝集処理物を適切に捕集し、かつ、水分を流出させる目的を果たすものであり、可動式受けタンクは、そこに載置した捕集袋が水没せずに、洗浄廃水が重力浸透することが重要である。さらに、捕集袋に捕集された凝集処理物を本装置から運び出すために、可動式受けタンクには移動手段が備わっているものである。なお、貯留槽から水が流出したときや、分離処理が不良であるときに、それらを貯留し取り除くためにも、可動式受けタンクは有用である。
【００１２】
本考案の装置では、上記可動式受けタンクを、捕集袋を載置して貯留槽の下位に配置するために、装置本体の下部に設けた捕集袋配置用空所を具備することも必要になる。捕集袋配置用空所は、文字通り捕集袋を凝集処理物等の捕集のために、装置本体の内部に配置する手段である。この目的の下、装置本体の高さを高低変化させ、或いは排水勾配を確保するなどのために、脚部高さ調節機構を設けることが望ましい。
【００１３】
上記可動式受けタンクは、床面に配置したフィルター板を有しており、上記フィルター板は、捕集袋に受け入れた洗浄廃水の水分による水没を防止するために、捕集袋の荷重を受け止めて平坦な形態を保持する強度と、上記水分を流出させるスノコ構造とを有していることが望ましい。また、貯留槽の底部には、排水口と、排水口を開閉するための排水蓋を設け、排水口には、捕集袋に洗浄廃水を注入するノズル状の排水部を設けることが望ましい。
【考案の効果】
【００１４】
本考案は以上のように構成されかつ作用するものであるから、ヒューマンエラーを防止するとともに、例えば、都心部のマンションの改修工事などのように使用できるスペースに制限のある作業場所においても、適正な廃水処理を行うために使用可能な塗料付着物の洗浄装置を提供することができるという効果を奏する。また、本考案によれば、下水排水基準を満たした排水が得られ、コンプライアンスを遵守した産業廃棄物処理を実施でき、環境意識を高め、環境に配慮した施工を実施できるようにすることである。また、本考案の他の課題は、濾過機器の改良により、狭隘なスペースによる制約に拘らず、洗浄廃水の浄化という所期の目的を達成することも可能になる。
【考案を実施するための最良の形態】
【００１５】
以下図示の実施形態を参照して本考案をより詳細に説明する。図１は本考案に係る装置１０の一例を示す平面図であり、１１は装置本体、１２は装置本体上部に配置されているシンクであって、その下部に貯留槽１４を備えている。シンク１２は水性塗料又はその他の汚れが付着している器具、道具類を洗浄する役割を果たすもので、その底面には、ほぼ中央に大きな円形の開口１３が設けられ貯留槽１４に通じている。なお、図示の例におけるシンク１２はやや横長の長方形の平面形状を有する、浅めのパン型の容器状に形成されている（図１ないし図３参照）。
【００１６】
貯留槽１４は、塗装用の刷毛、ローラー、ヘラ或いは少量の塗料を入れたパンや桶類などの器具類を流水で洗い流したり、或いは洗浄容器中で洗浄したりして発生した洗浄廃水を貯留するものである。本考案に係る装置１０の場合、シンク１２を有していない形態、また、シンク１２を有している形態のどちらも実施することが可能であるが、シンク１２を有している場合には、シンク１２で上記器具、道具類を洗浄して生じた洗浄廃水を貯留し、シンク１２を有していない場合には貯留槽１４に直かに投じられた洗浄廃水を貯留することになる。いずれの場合にも、貯留槽１４は相当程度の量の洗浄廃水を溜めておけるだけの容量を有しているものとする。例えば、４０リットル程度の容量の貯留槽１４であれば、少なくとも数回ないしは十回程度までの洗浄によって発生する量の廃水を貯留することができる。
【００１７】
上記貯留槽１４は、シンク１２の下部、かつ、装置全体としてはやや上部に設置されており、貯留槽１４の下部は後述する可動式受けタンク２１の捕集袋配置用空所２２となっている。なお、各図において、１５は水栓、１６は中和剤、凝集剤等の薬品、ＰＨ計等の備品類の置き場であり、水栓１５はシンク後部の左手、置き場１６は同じく右手に配置されている。シンク１２の底面には、水性塗料又はその他の汚れが付着している器具、道具類を洗浄する洗い網１７が上記開口１３を覆って配置される（図１、図２参照）。
【００１８】
洗い網１７は、刷毛やローラー等の器具類を擦って付着している塗料を洗い落せるように、表面に凹凸のある、例えば、エキスパンドメタル製品のようなシート状部材が適している。図示の洗い網１７は、シンク１２の底面に置いて内壁で固定されるように、シンク１２の内寸よりも僅かに小さい形状を有し、着脱可能に形成されている。しかし、その長方形の一辺においてシンク底面などにヒンジ結合しておき、必要に応じて底面に倒して使用し、或いは起立させておけるようにしても良い。
【００１９】
貯留槽１４は、洗浄廃水を溜め又は排出する開閉部１８を備えた、排水口１９を底部に有している。図示の例における開閉部１８は、開閉手段としての排水蓋１８ａを備えており（図３参照）、排水蓋１８ａを着脱することによって貯留槽底面の開口を開閉する。排水口１９の先端部には下向きのノズル１９ａが取り付けられている。なお、モルタル等の詰まり防止のためにはトラップを使用しない方が良いが、防臭の必要がある場合には排水口１９をトラップ付きのものに交換することも可能である。  
【００２０】
本考案の装置１０は、上記貯留槽１４から排出される洗浄廃水を受け入れて上記凝集処理物を捕集し、また、水分を流出させるために、適切な目開きを有する素材によって形成された捕集袋２０を具備する。捕集袋２０は、凝集処理物の捕集と水分の流出という目的に適した目開き（メッシュ）を有する素材から成る袋状のものが良い。この目的を満たす袋状物としては、土嚢として使用するものが適しており、例えば、ポリエチレン等の合成繊維から成るもの、或いは従来は主流であった麻袋などの繊維を編んで製造される布製品が好適である。
【００２１】
本考案の装置１０は、また、上記捕集袋２０を載置して排出される洗浄廃水を溜めるとともに排出し得るように、可動式受けタンク２１を組み合わせて使用する。図示の可動式受けタンク２１は、ほぼ箱型に形成された容器構造を有し（図４、図５参照）、かつ、下面に脚片２１ａを介して移動手段２３のキャスター輪を設け、可動式受けタンク２１を捕集袋配置用空所２２に配置するとともに、捕集袋２０を上記空所２２から装置本体１１の外部へ移動させるように構成されている。２１ｂは取っ手であり、捕集袋２０の移動時にハンドルとして使用する。なお、脚片２１ａは、排水口２１ｃと接地面との高低差を確保するとともに、排水口２１ｃ側へ向かう排水の流れを得る目的を有している。
【００２２】
可動式受けタンク２１は、上記捕集袋２０を載置することによって凝集処理物を適切に捕集し、かつ、水分を流出させるために、載置した捕集袋２０が水没せずに、洗浄廃水が重力浸透するように、フィルター板２４を併用している。上記フィルター板２４は、捕集袋２０に受け入れた洗浄廃水の水分による水没を防止するために、捕集袋２０の荷重を受け止めて平坦な形態を保持する強度と、上記水分を流出させるスノコ構造とを有していることが重要である（図６参照）。このため、フィルター板２４は浅い皿状の構造を有し、その底面のほぼ全面に横長スリット状の通水孔２４ａが多数形成されている。なお、２４ｂは取っ手用の長孔としてフィルター板２４の前後に設けてあり、また、２４ｃは水量調節のための切欠き部を示すが、主として水性塗料を扱う場合のように排水を重視する場合に適している。しかし、切欠き部２４ｃは、例えばセメント系物質を扱う場合、微細成分を堰き止める目的の下では不要なので、切欠き部２４ｃは前後の一方のみに設け、必要に応じて前後向きを変えるように使い分けられる。
【００２３】
さらに本考案では、装置本体１１は四隅の脚柱２５を備えており、これによって下部に捕集袋配置用空所２２を設けており、各脚柱２５の下端には脚部高さ調節機構２６を設けている。図示の高さ調節機構２６は、安定盤２６ａを下端に有する調節ボルト２６ｂと、脚柱下端に上下方向に取り付け、そのボルト２６ｂを脚柱下端に取り付けたナット２６ｃとを有し、脚柱下端から下方へ出し入れ可能に構成されている（図２、図３参照）。脚部高さ調節機構２６は排水勾配を確保するためにも用いられる。
【００２４】
上記可動式受けタンク２１には、排水口２１ｃが後部に設けられており（図７参照）、排水口２１ｃには排水ダクト２１ｄが接続される。各図中、２７は洗浄ガン受け部、２８は側部横枠で左右両側に一対設けられ、２９は後部横枠を示しており、従って、正面だけは枠がないので、装置本体１１の可動式受けタンク２１の出し入れ部となる。
【００２５】
このように構成されている、本考案に係る塗料付着物の洗浄装置１０は非常に小型であるので、特に、都心部のマンションなど狭隘なスペースの中に設置するのに適している。即ち、塗装作業に従事する職人等は、塗装工事を行って、刷毛やローラー或いは容器等の水性塗料又はその他の汚れが付着している器具類を洗浄する際に使用し、その場合、図示の例では、シンク１２に洗い網１７をセットし、水洗１５を開いて流水で水洗する。そして、洗浄後、洗い網１７は取り外す。水洗によって、貯留槽１４に溜まった洗浄水の汚濁が、経験によって限界と感知できる一定の程度に達したならば、まず、ＰＨ計を使用して洗浄廃水のＰＨを測定し、備品類の置き場１６から中和剤を取り出し、ＰＨ値に応じて適量を投入し、洗浄廃水がＰＨ５〜９の範囲に収まるように中和処理を行う。次いで、中和した洗浄廃水に凝集剤を投入し、水栓１５を開いて水流を起こさせるか、或いは手動によって洗浄廃水を攪拌し、塗料成分等を分離させる（凝集による分離）。目視による分離確認後、開閉部１８の排水蓋１８ａを抜き取り、塗料を分離した後の２次洗浄廃水を排水トラップ１９ａに流出させる。ここで、図示しないが、排水トラップ１９ａに濾過用のバスケットをセットし、分離した凝集分をバスケット状本体ごと引き上げて回収し、廃棄することも可能である。
【００２６】
排水トラップ１９ａを通過した２次洗浄廃水は、下向きのノズル１９ｂを通じて、捕集袋２０にその注入口２０ａから流入させる（図７参照）。捕集袋２０は金属製フィルター板２４の上に載置されているので、捕集袋２０の目開きが詰まったり広がり過ぎたりすることがなく、重力浸透が阻害されることもないため、捕集袋２０は水没せず、水分のみ円滑に流出させることができる（濾過による分離）。このようにして、
第１処理：貯留槽１４における、凝集剤の凝固・固着による分離濾過と、２次洗浄廃水に対する水素イオン濃度の調整処理、
第２処理：目開きの細かい濾過バスケットを用いた濾過による、主としてモルタル系物質の濾過処理、
第３処理：捕集袋２０の目開きにより分離処理されたフロックの除去処理、
が行なわれる。
その後、フロック又はフロックとモルタル系物質の混合物は捕集袋２０に徐々に充填されて溜まり、捕集袋２０の捕集量が一定に達したなら、２次洗浄廃水の流入を止めるとともに注入口２０ａを閉じ、捕集袋２０を可動式受けタンク２１ごと装置外部へ引き出し、捕集袋２０を次の処理工程へ向けて保管する。捕集袋２０は積み上げて置くことにより、水分を抜くことができるので（図８参照）、廃棄する場合にも好都合である。なお、捕集物は曝気後、産業廃棄物として処分するほか、廃プラスチック又はセメント材料としてリサイクルも可能である。本考案の洗浄装置１０は、マンションの改修工事などのように、使用できるスペースに制限のある作業場所にて、相対的に小規模の量の洗浄廃水を処理する上で好適なものであるが、しかし、建築物等の改修工事や補修工事のみならず、新築工事においても使用することができ、所期の効果を奏することは明らかである。
【図面の簡単な説明】
【００２７】
【図１】本考案に係る塗料付着物の洗浄装置の一例を示す平面図である。
【図２】同上の装置の正面図である。
【図３】同じく右側面の説明図である。
【図４】同じく可動式受けタンクを示す正面図である。
【図５】同じく可動式受けタンクを示す下面図である。
【図６】同じくフィルター板を示すもので、Ａは正面図、Ｂは平面図である。
【図７】同じく可動式受けタンクに捕集袋が載っている状態を示す側面図である。
【図８】同じく回収した捕集袋の保管例を示す側面図である。
【符号の説明】
【００２８】
１０  塗料付着物の洗浄装置
１１  装置本体
１２  シンク
１３  開口
１４  貯留槽
１５  水栓
１６  備品類の置き場
１７  洗い網
１８  開閉部
１９  排水口
２０  捕集袋
２１  可動式受けタンク
２２  捕集袋配置用空所
２３  移動手段
２４  フィルター板
２５  脚柱
２６  脚部高さ調整機構
２７  洗浄ガン受け部
２８  側部横枠
２９  後部横枠
【図１】
0003169056.tif 000003
【図２】
0003169056.tif 000004
【図３】
0003169056.tif 000005
【図４】
0003169056.tif 000006
【図５】
0003169056.tif 000007
【図６】
0003169056.tif 000008
【図７】
0003169056.tif 000009
【図８】
0003169056.tif 000010